【手続補正書】
【提出日】平成23年5月12日(2011.5.12)
【手続補正１】
【補正対象書類名】特許請求の範囲
【補正対象項目名】全文
【補正方法】変更
【補正の内容】
【特許請求の範囲】
【請求項１】
無線通信ネットワークにおけるモビリティを管理する方法であって、
サービング・セルにおいて、隣接セル内の隣接基地局（２０）が信号強度測定オフセットを送信するかどうかを判定する工程と、
前記隣接セルが信号強度測定オフセットを送信するかどうかを示すために、前記サービング・セルからユーザ機器（６０）へ第１のインジケータを送信する工程と、
を含むことを特徴とする方法。
【請求項２】
前記第１のインジケータは、前記隣接セルが信号強度測定オフセットを報知しないことを示すことを特徴とする請求項１に記載の方法。
【請求項３】
前記ユーザ機器（６０）へ前記第１のインジケータを送信する工程は、固定部分（５２）と動的部分（５４）とを有するシステム情報メッセージ（５０）において前記第１のインジケータを報知する工程を含むことを特徴とする請求項１に記載の方法。
【請求項４】
前記システム情報メッセージ（５０）の前記固定部分（５２）に前記第１のインジケータを含める工程をさらに含むことを特徴とする請求項３に記載の方法。
【請求項５】
前記システム情報メッセージの前記動的部分（５４）を、第２のスケジューリング・ユニットよりも高い頻度で第１のスケジューリング・ユニットが報知される複数のスケジューリング・ユニット（５８）に分割する工程と、
前記第１のスケジューリング・ユニットに前記第１のインジケータを含める工程と、
をさらに含むことを特徴とする請求項３に記載の方法。
【請求項６】
前記ユーザ機器（６０）へ前記第１のインジケータを送信する工程は、前記サービング・セルから前記ユーザ機器（６０）への専用メッセージにおいて前記第１のインジケータを送信する工程を含むことを特徴とする請求項１に記載の方法。
【請求項７】
前記サービング・セルと前記隣接セルとが同一の信号強度測定オフセットを用いることを示すために、前記ユーザ機器（６０）へ第２のインジケータを送信する工程をさらに含むことを特徴とする請求項１に記載の方法。
【請求項８】
前記ユーザ機器（６０）へ前記第１のインジケータを送信する工程は、前記ユーザ機器（６０）により監視される報知制御チャネルで前記第１のインジケータを送信する工程と、媒体アクセス制御プロトコルのデータ・ユニットにおいて前記ユーザ機器（６０）へ前記第１のインジケータを送信する工程と、共有制御チャネルの制御メッセージにおいて前記ユーザ機器（６０）へ前記第１のインジケータを送信する工程と、のうちの一つを含むことを特徴とする請求項１に記載の方法。
【請求項９】
無線通信ネットワーク（１０）におけるサービング基地局（２０）であって、
隣接セル内の隣接基地局（２０）がユーザ機器（６０）へ信号強度測定オフセットを送信するかどうかを判定するように構成されたコントローラ（２２）と、
前記隣接基地局が信号強度測定オフセットを送信するかどうかを示すために、前記サービング基地局（２０）から前記ユーザ機器（６０）へ第１のインジケータを送信するように構成された送受信器（２８）と、
を備えることを特徴とするサービング基地局（２０）。
【請求項１０】
前記送受信器（２８）は、固定部分（５２）と動的部分（５４）とを有するシステム情報メッセージ（５０）において前記ユーザ機器（６０）へ前記第１のインジケータを報知するように構成されることを特徴とする請求項９に記載のサービング基地局（２０）。
【請求項１１】
前記コントローラ（２２）は、前記システム情報メッセージ（５０）の前記固定部分（５２）に前記第１のインジケータを含めるように構成されることを特徴とする請求項１０に記載のサービング基地局（２０）。
【請求項１２】
前記システム情報メッセージ（５０）の前記動的部分（５４）は、第２のスケジューリング・ユニットよりも高い頻度で第１のスケジューリング・ユニットが送信される複数のスケジューリング・ユニット（５８）を含み、
前記コントローラ（２２）は、前記第１のスケジューリング・ユニットに前記第１のインジケータを含めるように構成される
ことを特徴とする請求項１０に記載のサービング基地局（２０）。
【請求項１３】
前記送受信器（２８）は前記ユーザ機器（６０）のハンドオーバの間に前記ユーザ機器（６０）へ前記第１のインジケータを送信するように構成されることを特徴とする請求項９に記載のサービング基地局（２０）。
【請求項１４】
前記送受信器（２８）は、前記サービング基地局（２０）と前記隣接基地局とが同一の信号強度測定オフセットを用いることを示すために、前記ユーザ機器（６０）へ第２のインジケータを送信するように構成されることを特徴とする請求項９に記載のサービング基地局（２０）。
【請求項１５】
無線通信ネットワーク（１０）におけるモビリティを管理する方法であって、
隣接セル内の隣接基地局に信号強度測定オフセットが適用されることをサービング基地局（２０）から受信された第１のインジケータが示すかどうかを判定する工程と、
前記第１のインジケータに基づいて前記隣接基地局から信号強度測定オフセットを取得する工程と、
を含むことを特徴とする方法。
【請求項１６】
前記第１のインジケータに基づいて前記隣接基地局から信号強度測定オフセットを取得する工程は、
前記隣接基地局が信号強度測定オフセットを用いることを前記第１のインジケータが示す場合に、前記隣接基地局から前記信号強度オフセットを取得する工程と、
前記隣接基地局が信号強度測定オフセットを用いないことを前記第１のインジケータが示す場合に、前記隣接基地局から信号強度オフセットを取得することを省略する工程と、
を含むことを特徴とする請求項１５に記載の方法。
【請求項１７】
第１の信号強度測定オフセットを用いて前記サービング基地局（２０）に関する信号強度測定を実行する工程をさらに含み、
前記隣接基地局から前記信号強度オフセットを取得することを省略する工程は、前記サービング基地局（２０）から受信した第２のインジケータに基づいて前記隣接基地局に関する信号強度測定を実行するために、前記第１の信号強度測定オフセットを再使用する工程を含む
ことを特徴とする請求項１６に記載の方法。
【請求項１８】
アイドル・モードである間に前記第１のインジケータを受信する工程と、接続モードである間に前記第１のインジケータを受信する工程と、媒体アクセス制御プロトコルのデータ・ユニットにおいて前記第１のインジケータを受信する工程と、共有制御チャネルの制御メッセージにおいて前記第１のインジケータを受信する工程と、のうちの一つをさらに含むことを特徴とする請求項１５に記載の方法。
【請求項１９】
無線通信ネットワーク（１０）におけるユーザ機器（６０）であって、
隣接セル内の隣接基地局（２０）が信号強度測定オフセットを用いるかどうかを示す第１のインジケータをサービング基地局（２０）から受信するように構成された送受信器（６８）と、
前記第１のインジケータに基づいて前記隣接基地局から前記信号強度測定オフセットを取得するように構成されたコントローラ（６２）と、
を備えることを特徴とするユーザ機器（６０）。
【請求項２０】
前記コントローラ（６２）は、
前記隣接基地局が信号強度測定オフセットを用いることを前記第１のインジケータが示す場合に、前記隣接基地局から前記信号強度オフセットを取得するように構成されるとともに、
前記隣接基地局が信号強度測定オフセットを用いないことを前記第１のインジケータが示す場合に、前記隣接基地局から信号強度オフセットを取得することを省略するように構成される
ことを特徴とする請求項１９に記載のユーザ機器（６０）。
【請求項２１】
前記送受信器（６８）は、前記サービング基地局（２０）と前記隣接基地局とが同一の信号強度測定オフセットを用いることを示す第２のインジケータを前記サービング基地局（２０）から受信するように構成されることを特徴とする請求項１９に記載のユーザ機器（６０）。
【請求項２２】
前記コントローラ（６２）は、前記第２のインジケータに基づいて前記隣接基地局に関する信号強度測定を実行するために、前記同一の信号強度測定オフセットを用いるように構成されることを特徴とする請求項２１に記載のユーザ機器（６０）。
【請求項２３】
前記送受信器（６８）は、報知制御チャネルを通じて前記第１のインジケータを受信するように構成されるか又は前記サービング基地局（２０）からのシステム情報メッセージ（５０）において前記第１のインジケータを受信するように構成されることを特徴とする請求項１９に記載のユーザ機器（６０）。